(57)【要約】【課題】ＩＤコード入力が容易で安全な無線通信機器及び認証情報の交換方法を提供する。【解決手段】無線通信機器１０，２０は、相手無線通信機器との間で無線通信を行うための認証情報をランダムコード発生器１３，２３によりランダムに発生させ、発生したＩＤコードを自己のメモリ１２，２２に記憶するとともに、相手側無線通信機器に送信し、相手側無線通信機器では、送信されたＩＤコードを受信してメモリ１２，２２に記憶する制御を行うとともに、相互通信を行う際には、メモリ１２，２２に記憶しているＩＤコードと相手無線通信機器から送信されたＩＤコードを基に認証処理を行う。【選択図】  図１
2004260300.tif 000002
【特許請求の範囲】
【請求項１】
無線通信により情報を送受信する無線通信機器において、
相手無線通信機器との間で無線通信を行うための認証情報をランダムに発生する認証情報発生手段と、
前記発生した認証情報を記憶する記憶手段と、
前記発生した認証情報を前記相手無線通信機器に送信するとともに、前記相手無線通信機器から送信された認証情報を受信する通信手段と、
前記記憶手段に記憶している認証情報と前記相手無線通信機器から送信された認証情報を基に認証処理を行う認証手段と
を備えることを特徴とする無線通信機器。
【請求項２】
さらに、情報入出力を行う電気的な接続部を有する入出力部を備え、
前記入出力部と前記相手無線通信機器の前記入出力部とを電気的に接続し、
前記認証情報を前記入出力部を介して送受信することを特徴とする請求項１記載の無線通信機器。
【請求項３】
前記認証情報の送受信を開始する認証開始ボタンをさらに備えることを特徴とする請求項１又は２に記載の無線通信機器。
【請求項４】
前記記憶手段に記憶している認証情報と前記相手無線通信機器から送信された認証情報とが異なることを通知する通知手段をさらに備えることを特徴とする請求項１記載の無線通信機器。
【請求項５】
無線通信により情報を送受信する第１の無線通信機器と、前記第１の無線通信機器との間で情報を送受信する第２の無線通信機器とから構成される無線通信機器システムの認証情報の交換方法であって、
前記第１の無線通信機器では、前記第２の無線通信機器との間で無線通信を行うための認証情報をランダムに発生し、
前記発生した認証情報を記憶手段に記憶するとともに、前記第２の無線通信機器に送信し、
前記第２の無線通信機器では、前記第１の無線通信機器から送信された認証情報を受信し、前記受信した認証情報を記憶手段に記憶し、
相互通信を行う際、前記記憶手段に記憶している認証情報と相手無線通信機器から送信された認証情報を基に認証処理を行うことを特徴とする認証情報の交換方法。
【発明の詳細な説明】
【０００１】
【発明の属する技術分野】
本発明は、無線通信によって情報の送受信を行う無線通信機器及び認証コードの交換方法に関する。
【０００２】
【従来の技術】
近年、コンピュータやその周辺機器、家電製品などを、無線インターフェース（以下、無線Ｉ／Ｆという）により接続し、無線Ｉ／Ｆを介してデータの送受信を行うことにより、接続の煩雑さ及び使い勝手の向上を図ろうとする技術が多数存在している。
【０００３】
コンピュータや、その周辺機器を無線Ｉ／Ｆによってデータの送受信を行う場合、送受信相手を特定及び認識を行うために、個別の認証コード（以後、ＩＤコードと称す）が必要になる。このＩＤコードには、接続相手を特定する情報が含まれており、接続する機器間で夫々の機器が有している個別の認証コード（例えばＢｌｕｅｔｏｏｔｈならばＰＩＮコード等）を相手機器に入力する必要がある。
【０００４】
このＩＤコードは、通常、キーボード等の入力手段を利用して、コンピュータやその周辺機器などの無線情報通信機器に入力することにより、相互の接続機器の認識を行う。このＩＤコードを入力した後は、有線で接続した機器と同様に、情報の送受信を行うことが可能となる。
【０００５】
また、特許文献１には、ＵＳＢ（Ｕｎｉｖｅｒｓａｌ  Ｓｅｒｉａｌ  Ｂｕｓ）ポートを介して認証情報を送受信し、より容易にＩＤコードの認証を行う無線通信機器システムが開示されている。
【特許文献１】
特開２００１−１７７５９９号公報
【０００６】
【発明が解決しようとする課題】
しかしながら、このような従来の無線通信機器システムにあっては、使用者が居ない間にＩＤコードを第三者によって盗まれた場合、無線情報が第三者にも筒抜けになってしまうという問題点があった。また、ＩＤコードを第三者に盗まれたことを使用者が気付かないという欠点があった。
本発明は、このような課題に鑑みてなされたものであって、ＩＤコード入力が容易で安全な無線通信機器及び認証情報の交換方法を提供することを目的としている。
【０００７】
また、本発明は、ＩＤコード入力が容易で、使用者が居ない間にＩＤコードを第三者に読み取られた場合でも、使用者がそのことに容易に気が付くことができ、第三者に無線情報が読み取られることがないようにＩＤを変更することができる無線通信機器及び認証情報の交換方法を提供することを目的としている。
【０００８】
【課題を解決するための手段】
本発明の無線通信機器は、無線通信により情報を送受信する無線通信機器において、相手無線通信機器との間で無線通信を行うための認証情報をランダムに発生する認証情報発生手段と、前記発生した認証情報を記憶する記憶手段と、前記発生した認証情報を前記相手無線通信機器に送信するとともに、前記相手無線通信機器から送信された認証情報を受信する通信手段と、前記記憶手段に記憶している認証情報と前記相手無線通信機器から送信された認証情報を基に認証処理を行う認証手段とを備えることを特徴としている。
【０００９】
さらに、情報入出力を行う電気的な接続部を有する入出力部を備え、前記入出力部と前記相手無線通信機器の前記入出力部とを電気的に接続し、前記認証情報を前記入出力部を介して送受信するものであってもよい。
【００１０】
また、前記認証情報の送受信を開始する認証開始ボタンをさらに備えるものであってもよい。
また、前記記憶手段に記憶している認証情報と前記相手無線通信機器から送信された認証情報とが異なることを通知する通知手段をさらに備えるものであることがより好ましい。
【００１１】
本発明の認証情報の交換方法は、無線通信により情報を送受信する第１の無線通信機器と、前記第１の無線通信機器との間で情報を送受信する第２の無線通信機器とから構成される無線通信機器システムの認証情報の交換方法であって、前記第１の無線通信機器では、前記第２の無線通信機器との間で無線通信を行うための認証情報をランダムに発生し、前記発生した認証情報を記憶手段に記憶するとともに、前記第２の無線通信機器に送信し、前記第２の無線通信機器では、前記第１の無線通信機器から送信された認証情報を受信し、前記受信した認証情報を記憶手段に記憶し、相互通信を行う際、前記記憶手段に記憶している認証情報と相手無線通信機器から送信された認証情報を基に認証処理を行うことを特徴としている。
【００１２】
このように構成された本発明の無線通信機器及び認証情報の交換方法によって、認証情報が認証の際にランダムに自動的に生成され、その都度ＩＤコードが変更されるため、第三者に盗聴された場合でも容易に認証情報を変更することが可能な無線通信機器システムを構築することができる。
【００１３】
【発明の実施の形態】
以下、添付図面を参照しながら本発明の好適な無線通信機器及び無線通信機器システムの実施の形態について詳細に説明する。
【００１４】
第１の実施の形態
図１は、本発明の第１の実施の形態の無線通信機器の構成を示すブロック図である。無線通信機器システムとして、無線送信機と無線受信機との機器間で無線通信によりデータの送受信を行う場合に適用した例である。
図１において、１０，２０は無線データを送受信する無線通信機器であり、同一構成で構成される。ここでは説明の便宜上、無線通信機器１０を無線送信機、無線通信機器２０を無線受信機として説明する。
【００１５】
無線通信機器１０，２０は、本装置全体を制御する制御部であるＣＰＵ１１，２１（認証手段）と、制御プログラムや固定データ等を記憶するＲＯＭ、ＣＰＵ１１，２１の作業用記憶領域であるＲＡＭからなりＩＤコードを記憶するメモリ１２，２２（記憶手段）と、相互の機器の認証に必要なＩＤコード（認証情報）をランダムに発生するランダムコード発生器１３，２３（認証情報発生手段）と、電波を送受信するアンテナ１４，２４と、アンテナ１４，２４に接続され相手端末と無線通信を行う無線部を備える通信コントロール部１５，２５（通信手段）と、他の無線機器とケーブル３０を用いて電気的に接続するための接続ポート１６，２６（入出力部）とを備えて構成される。
【００１６】
無線通信機器１０，２０は、ＦＷＡ（Ｆｉｘｅｄ  Ｗｉｒｅｌｅｓｓ  Ａｃｃｅｓｓ）端末のような、使用場所を移動することが可能な無線通信機器であり、例えば、携帯電話機／ＰＨＳ（Ｐｅｒｓｏｎａｌ  Ｈａｎｄｙ−Ｐｈｏｎｅ  Ｓｙｓｔｅｍ）や携帯情報端末（以下、ＰＤＡ（Ｐｅｒｓｏｎａｌ  Ｄｉｇｉｔａｌ  Ａｓｓｉｓｔａｎｔｓ）という）などの携帯端末、無線ＬＡＮ機能を持つ携帯ノート型パソコン、無線ＬＡＮ機能を持つ接続端末も含まれる。
【００１７】
また、図示は省略されているが、無線通信機器１０，２０はＬＣＤディスプレイ及び各ドライバ等で構成され、受信した情報の内容等を表示する表示部、データ入力や各種機能の指示を行うためのキーボード、専用のキーあるいはＩＤ認証ボタン、ＧＵＩ（Ｇｒａｐｈｉｃａｌ  Ｕｓｅｒ  Ｉｎｔｅｒｆａｃｅ）ボタン及びタッチパネル等で構成される入力部、日時時刻を計時、あるいは、一定時間の経過を計測するための計時部、外部記録装置や各種機器を接続するためのインターフェースを備えている。
【００１８】
ＣＰＵ１１，２１は、相手無線通信機器との間で無線通信を行うための認証情報をランダムコード発生器１３，２３によりランダムに発生させ、発生したＩＤコードを自己のメモリ１２，２２に記憶するとともに、相手側無線通信機器に送信し、相手側無線通信機器では、送信されたＩＤコードを受信してメモリ１２，２２に記憶する制御を行う。そして、相互通信を行う際、メモリ１２，２２に記憶しているＩＤコードと相手無線通信機器から送信されたＩＤコードを基に認証処理を行う。
【００１９】
ＲＯＭは、ＣＰＵ１１，２１が動作する際に必要なプログラム、制御データ等の固定データを記憶する読出し専用の半導体メモリである。ＲＡＭは、認証処理に関するデータ、演算に使用するデータ及び演算結果等を一時的に記憶するいわゆるワーキングメモリとして使用される。無線通信機器１０，２０で処理されるプログラムは、このＲＡＭに展開されて実行される。また、ＲＡＭの一部は、電気的に書換可能な不揮発性メモリであるＥＥＰＲＯＭ（ｅｌｅｃｔｒｉｃａｌｌｙ  ｅｒａｓａｂｌｅ  ｐｒｏｇｒａｍｍａｂｌｅ  ＲＯＭ）からなり、ＥＥＰＲＯＭに書き込むプログラムを変えることによって、特に無線通信機器１０，２０における各種の仕様を変更することができる。また、ランダムコード発生器１３，２３により発生したＩＤコードを本体電源ＯＦＦ後も記憶する。メモリ１２，２２の一部に不揮発性メモリを用いる例については図３により後述する。
【００２０】
これら２つの無線通信機器１０，２０が、無線通信によって情報の送受信を行うには、相互に個別認証が必要である。
図１では、２つの無線通信機器１０，２０を図示しているが、任意の数の無線通信機器で構成することが可能である。
【００２１】
以下、上述のように構成された無線通信機器の動作を説明する。
図２は、無線通信機器１０，２０同士のＩＤコード交換時のフローチャートであり、本プログラムはＣＰＵ１１，２１により実行される。図中Ｓはフローの各ステップを示す。
【００２２】
無線通信機器１０，２０同士をケーブル３０で接続すると、本フローがスタートする。本実施の形態では、送信機側の無線通信機器１０がＩＤコードを作るものとする。まず、ステップＳ１で無線通信機器１０，２０の接続ポート１６，２６にケーブル３０が接続されているか否かを確認する。ケーブル３０が接続されていなければそのまま本フローを終了する。
【００２３】
無線通信機器１０，２０同士がケーブル３０で接続されているときは、ステップＳ２で送信機側の無線通信機器１０のランダムコード発生器１３がランダムなＩＤコードを生成する。次いで、ステップＳ３で生成したＩＤコードをメモリ１２に格納し、ステップＳ４で該ＩＤコードをケーブル３０を通じて受信機側の無線通信機器２０に対して送信する。
【００２４】
ステップＳ５では、受信機側の無線通信機器２０は送信機側の無線通信機器１０から送信されたＩＤコードを受信しメモリ２２に格納する。これにより無線通信機器１０，２０同士は同一のＩＤコードを共有することになる。この作業により、２つの無線情報通信機器のランダムなＩＤコードが同一となり、相互に通信をすることが可能になる。
【００２５】
以上のように、本実施の形態の無線通信機器１０，２０は、ＣＰＵ１１，２１と、ＲＯＭ，ＲＡＭからなりＩＤコードを記憶するメモリ１２，２２と、相互の機器の認証に必要なＩＤコードをランダムに発生するランダムコード発生器１３，２３と、相手端末と無線通信を行う無線部を備える通信コントロール部１５，２５と、他の無線機器とケーブル３０を用いて電気的に接続するための接続ポート１６，２６とを備え、ＣＰＵ１１，２１は、相手無線通信機器との間で無線通信を行うための認証情報をランダムコード発生器１３，２３によりランダムに発生させ、発生したＩＤコードを自己のメモリ１２，２２に記憶するとともに、相手側無線通信機器に送信し、相手側無線通信機器では、送信されたＩＤコードを受信してメモリ１２，２２に記憶する制御を行うとともに、相互通信を行う際には、メモリ１２，２２に記憶しているＩＤコードと相手無線通信機器から送信されたＩＤコードを基に認証処理を行うので、ＩＤコードが認証の際にランダムに自動的に生成され、その都度ＩＤコードが変更されるため、第三者に盗聴された場合でも容易にＩＤコードを変更することが可能な無線通信機器システムを構築することができる。
【００２６】
これにより、例えば使用者が居ない間にＩＤコードが第三者によって盗まれた場合であっても、相手無線通信機器と無線通信を行う際には新たなＩＤコードがランダムに生成され、その都度ＩＤコードが変更されて該ＩＤコードを基にした認証処理が完了後に相手無線通信機器との通信が行われるので、ＩＤコードを盗んだ第三者が該ＩＤコードを使って無線通信に加わり無線情報を知ることはできない。
【００２７】
また、ランダムに生成されたＩＤコードが第三者によって盗まれた場合を想定してみる。使用者は、この時点ではＩＤコードが第三者によって盗まれたことを知らない。使用者は、相手無線通信機器と無線通信を行おうとした場合、相手無線通信機器は該使用者の無線通信機器が送信したＩＤコードを有し、このＩＤコードを使って使用者の無線通信機器と無線通信できるはずであるにも関わらず、相手無線通信機器と無線通信を行うことができない。このことから、使用者は、使用者が居ない間にＩＤコードが第三者によって盗まれたことに気付くことが可能になる。すなわち、先に相手無線通信機器に送信したＩＤコードで相手無線通信機器と通信できない場合は、先に相手無線通信機器に送信したＩＤコードは第三者によって盗まれた可能性があることがわかる。これは、ＩＤコードがその都度ランダムに発生したものであるからである。
【００２８】
第２の実施の形態
図３は、本発明の第２の実施の形態の無線通信機器の構成を示すブロック図である。図１と同一構成部分には同一符号を付して重複箇所の説明を省略する。
図３において、無線通信機器１０，２０のメモリ１２，２２の一部は、ＥＥＰＲＯＭ等からなる不揮発性メモリ１２ａ，２２ａにより構成され、ランダムコード発生器１３，２３により発生したＩＤコードを記憶する。
【００２９】
このように、ＩＤコードを記憶するメモリ１２，２２の一部を不揮発性メモリ１２ａ，２２で構成することにより、電源を投入するたびにＩＤコード認証作業を行うことなく通信を行うことができる。
【００３０】
第３の実施の形態
図４は、本発明の第３の実施の形態の無線通信機器の構成を示すブロック図である。図１と同一構成部分には同一符号を付して重複箇所の説明を省略する。
図４において、無線通信機器１０，２０は、他の無線機器と電気的に接続するための接続ポート１６，２６及びケーブル３０に代えて、無線通信を行う際、お互いの機器の認証に必要な認証情報を無線通信により交換するための認証開始装置であるＩＤ認証ボタン１７，２７（認証開始ボタン）を備えて構成される。
本実施の形態では、ＩＤ認証ボタン１７，２７としたが、リモコン装置やキーボード等の入力装置でもよい。
【００３１】
図５は、無線通信機器１０，２０同士の認証ボタン１７，２７を用いたＩＤ認証時のフローチャートであり、本プログラムはＣＰＵ１１，２１により実行される。本フローは図２のフローに対応している。
【００３２】
図５では、送信機側の無線通信機器１０がＩＤコードを作るものとする。まず、ステップＳ１１で無線通信機器１０のＩＤ認証ボタン１７の押下を検出すると、ステップＳ１２でＣＰＵ１１は前記ＲＯＭにあらかじめ記憶されている機器認証用のＩＤコードを通信コントロール部１５に発行して、通信コントロール部１５は通信を開始する。同様に、ステップＳ１３で受信機側の無線通信機器２０がＩＤ認証ボタン２７の押下を検出すると、ステップＳ１４でＣＰＵ２１は前記ＲＯＭにあらかじめ記憶されている機器認証用のＩＤコードを通信コントロール部２５に発行して、通信コントロール部２５は通信を開始する。
【００３３】
上記機器認証用のＩＤコードは、全ての無線情報通信機器で同一のＩＤであるため、相互に通信を行うことが可能である。
ステップＳ１５では、機器認証用のＩＤコードを用いた通信が確立したことを送信機側の無線通信機器１０のＣＰＵ１１が検知し、送信機・受信機間通信が確立したことを検知すると、ステップＳ１６で送信機側の無線通信機器１０のランダムコード発生器１３がランダムなＩＤコードを生成する。次いで、ステップＳ１７で生成したＩＤコードをメモリ１２に格納し、ステップＳ１８で生成されたＩＤコードを通信コントロール部１５を経由し、無線通信により受信機側の無線通信機器２０に対して送信する。
【００３４】
ステップＳ１９では、受信機側の無線通信機器２０は送信機側の無線通信機器１０から送信されたＩＤコードを通信コントロール部２０を経由して受信しメモリ２２に格納する。これにより無線通信機器１０，２０同士は同一のＩＤコードを共有することになる。この作業により、２つの無線情報通信機器のランダムなＩＤコードが同一となり、相互に通信をすることが可能になる。
本実施の形態によれば、ＩＤコードの認証作業にケーブルを使う必要が無くなる効果を得ることができる。
【００３５】
第４の実施の形態
図６は、本発明の第４の実施の形態の無線通信機器の構成を示すブロック図である。図３と同一構成部分には同一符号を付して重複箇所の説明を省略する。
図６において、無線通信機器１０，２０は、さらに、無線通信を行う際、お互いの機器の認証に必要なＩＤコードが異なった際に通知するランプ１８，２８（通知手段）を備えて構成される。
【００３６】
図７は、ランプ１８，２８を備える無線通信機器１０，２０のＩＤ認証時のフローチャートであり、本プログラムはＣＰＵ１１，２１により、図２又は図５のフローに付加して実行される。
【００３７】
まず、ステップＳ２１で無線通信機器１０，２０の不揮発性メモリ１２ａ，２２ａに記憶されているＩＤコードを用いて通信を開始し、ステップＳ２２で送信機側の無線通信機器１０から送られてくる無線路上のＩＤコードが一致しているか否かを判別する。互いのＩＤコードを比較し、ＩＤコードが一致している場合はそのまま処理を終え、ＩＤコードが異なる場合はステップＳ２３でランプ１８，２８を点灯させてユーザに知らせ本フローを終了する。
【００３８】
本実施の形態では、ＩＤコードが異なった際に通知する手段としてＬＥＤ等のランプとしているが、ディスプレイへのメッセージ表示、スピーカによる報知、さらに音声合成ＩＣを用いた音声による通知等であってもよい。
【００３９】
なお、本発明の無線通信機器及び認証情報の交換方法は、上述の実施の形態に限定されるものではなく、本発明の要旨を逸脱しない範囲内において種々変更を加え得ることは勿論である。例えば、無線通信機器としてＦＷＡ端末等の移動端末としているが、無線通信機器に限らず情報機器機能を持った又はその融合された装置に適用可能である。また、データ送受信のできる装置として、パソコンに代表される情報機器機能に融合された装置であってもよく、全てのシステムに適用可能である。また、送受信データの内容はどのようなものであってもよい。
【００４０】
また、上記無線通信機器及び認証情報の交換方法を構成する各処理部等の種類、設定情報の種類・形式などは前述した実施形態に限られない。
また、本実施の形態では無線通信機器及び認証情報の交換方法という名称を用いたが、これは説明の便宜上であり、無線情報通信機器、無線通信機器システム、通信端末装置等であってもよい。
さらに、無線通信機器に用いられる移動通信方式は、ＴＤＭＡ方式、ＣＤＭＡ方式等どのような方式でもよい。
【００４１】
以上説明した無線通信機器及び認証情報の交換方法は、この無線通信機器及び認証情報の交換方法を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【００４２】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００４３】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【００４４】
【発明の効果】
以上、詳述したように、本発明によれば、認証情報を有線もしくは無線により認証作業をするごとにランダムに変更することができるため、盗聴がされにくく、また認証情報を盗まれてもユーザが容易に気付くことができる無線通信機器及び認証情報の交換方法を実現することができる。
【図面の簡単な説明】
【図１】本発明の第１の実施の形態の無線通信機器の構成を示すブロック図である。
【図２】本実施の形態の無線通信機器のＩＤコード交換時のフローチャートである。
【図３】本発明の第２の実施の形態の無線通信機器の構成を示すブロック図である。
【図４】本発明の第３の実施の形態の無線通信機器の構成を示すブロック図である。
【図５】本実施の形態の無線通信機器の認証ボタンを用いたＩＤ認証時のフローチャートである。
【図６】本発明の第４の実施の形態の無線通信機器の構成を示すブロック図である。
【図７】本実施の形態の無線通信機器のＩＤ認証時のフローチャートである。
【符号の説明】
１０，２０  無線通信機器
１１，２１  ＣＰＵ（認証手段）
１２，２２  メモリ（記憶手段）
１２ａ，２２ａ  不揮発性メモリ（記憶手段）
１３，２３  ランダムコード発生器（認証情報発生手段）
１４，２４  アンテナ
１５，２５  通信コントロール部（通信手段）
３０  ケーブル
１６，２６  接続ポート（入出力部）
１７，２７  ＩＤ認証ボタン（認証開始ボタン）
１８，２８  ランプ（通知手段）
【図１】
2004260300.tif 000003
【図２】
2004260300.tif 000004
【図３】
2004260300.tif 000005
【図４】
2004260300.tif 000006
【図５】
2004260300.tif 000007
【図６】
2004260300.tif 000008
【図７】
2004260300.tif 000009